(57)【要約】【課題】多方向からプラグを差込口に差込むことができ、空間上の無駄の発生を回避でき、一つのプラグを一方の差込口に差込んで使用しているとき、同一の導電端子に誤って別のプラグを差込むことによる危険のない、上表面及び側面上に差込口を備えた多穴コンセント用スライドカバー付コンセントケースの提供。【解決手段】座体と、カバー体を含み、前記座体の上表面及び側面上にそれぞれコンセントの差込口を設け、該上表面の差込口と、側面上の差込口の各組は、同一垂直切断面上に位置し、前記座体内部に、前記上表面の差込口と、側面上の差込口の各組に対応する共用の導電端子を設置し、前記カバー体は、前記座体上表面及び側面上に設けられた各組の差込口の位置に対応する上開孔と横開孔を備え、該上開孔と横開孔各組の位置は、同一の垂直切断面上になく、前記カバー体のスライド移動により、該カバー体上の上開孔と横開孔を、前記座体上の上表面の差込口と側面上の差込口に対合させるか、ずらして遮蔽するかを選択して使用する。【選択図】　　図１
0003099064.tif 000002
【実用新案登録請求の範囲】
【請求項１】
座体と、カバー体を含み、前記座体の上表面及び側面上にそれぞれコンセントの差込口を設け、該上表面の差込口と、側面上の差込口の各組は、同一垂直切断面上に位置し、前記座体内部に、前記上表面の差込口と、側面上の差込口の各組に対応する共用導電端子を設置し、前記カバー体は、前記座体上表面及び側面上に設けられた各組の差込口の位置に対応する上開孔と横開孔を備え、該上開孔と横開孔各組の位置は、同一の垂直切断面上になく、前記カバー体のスライド移動により、該カバー体上の上開孔と横開孔を、前記座体上の上表面の差込口と側面上の差込口に対合させるか、ずらして遮蔽するかを選択する、上表面及び側面上に差込口を備えた多穴コンセント用のスライドカバー付コンセントケース。
【考案の詳細な説明】
【０００１】
【考案の属する技術分野】
本考案は、上表面及び側面上に差込口を備えた多穴コンセントケースに関し、特に、多方向におけるプラグの安全な差込み使用を可能にし、体積の大きなプラグを挿入しても、相隣する他の差込口の妨げにならない、スライドカバー付コンセントケースの構造に関する。
【０００２】
【従来の技術】
現在一般的な多穴コンセントは、図９に示すように、座体Ａ１の上表面に複数組の差込口Ａ２が開設され、これら複数組の差込口Ａ２は等間隔で排列され、該差込口Ａ２各組間の間隔は、一般的な家電製品のプラグを差込んで使用する場合、互いに干渉することなく設計されている。しかし、変圧器の電源プラグのような、体積の大きなプラグＢを差込んで使用する際、往々にしてプラグＢの体積が大きすぎ、相隣する別の差込口Ａ２を塞いでしまい、塞がれた差込口Ａ２を使用することができなくなり、差込口Ａ２の空間上の無駄が発生する。そこで、差込口Ａ２各組間の距離を広げる方法を採ると、座体Ａ１の長さも相対して増加し、さらに体積も相対して増加するため、製造コストが上がってしまうだけでなく、場所を取ってしまうため、使用上の利便性にも欠け、理想的とは言えない。
【０００３】
【考案が解決しようとする課題】
前記の問題点に鑑みて、本考案の目的は、多方向からプラグを差込口に差込むことができ、空間上の無駄の発生を回避でき、一つのプラグを一方の差込口に差込んで使用しているとき、同一の導電端子に誤って別のプラグを差込むことによる危険のない、上表面及び側面上に差込口を備えた多穴コンセント用スライドカバー付コンセントケースを提供することにある。
【０００４】
【課題を解決するための手段】
上表面及び側面上に差込口を備えた多穴コンセント用のスライドカバー付コンセントケースで、主に座体と、カバー体を含み、前記座体の上表面及び側面上にそれぞれコンセントの差込口を設け、該上表面の差込口と、側面上の差込口の各組は、同一垂直切断面上に位置し、前記座体内部に、前記上表面の差込口と、側面上の差込口の各組に対応する共用導電端子を設置し、前記カバー体は、前記座体上表面及び側面上に設けられた各組の差込口の位置に対応する上開孔と横開孔を備え、該上開孔と横開孔各組の位置は、同一の垂直切断面上になく、前記カバー体のスライド移動により、該カバー体上の上開孔と横開孔を、前記座体上の上表面の差込口と側面上の差込口に対合させるか、ずらして遮蔽するかを選択して使用する。
【０００５】
【考案実施の形態】
以下、本考案のスライドカバー付コンセントケースについて、図面に基づいて詳細に説明する。
図１、図２及び図３に本考案の実施例一を示す。本考案は、主に座体１とカバー体２を係合して成り、うち、座体１は、窪み状の若干組の滑動部１１を備え、該各滑動部１１は、上方向に開口した上差込口１２と、側面方向に開口した横差込口１３をそれぞれ含み、さらに前記滑動部１１は、上表面と側面上にそれぞれスライド溝１４を備え、前記座体１内部の各滑動部１１に相対する位置に、共用導電端子１５を設け、各共用導電端子１５の導電部位は、同時に上方向開口部１５１と、側面方向開口部１５２を備え、同時に前記滑動部１１の上差込口１２と横差込口１３に対合しており、該上差込口１２または横差込口１３に差し込まれたプラグに導電する。
【０００６】
カバー体２は、前記滑動部１１上に嵌合し、二段階式で横方向にスライド移動し、該カバー体２の上面内側と側面内側に、それぞれ嵌合片２１を設け、さらに、該カバー体２は、前記滑動部１１上に設けられた上差込口１２と横差込口１３に対応する位置に、上開孔２２と横開孔２３を備え、該上開孔２２と横開孔２３は相互にずれた状態で形成され、即ち、上開孔２２と横開孔２３の位置は、同一の垂直切断面上になく、前記カバー体２のスライド移動による二段階式の位置選択構造を形成する。
【０００７】
図２及び図３に示すように、組立て時には、前記カバー体２の上方向及び側面方向に形成された前記嵌合片２１を、それぞれ前記滑動部１１の上表面及び側面上に形成されたスライド溝１４に内に嵌置し、これにより、前記滑動部１１上で前記カバー体２を二段階式のスライド移動させることを可能にし、該カバー体２をスライド移動させると、前記カバー体上の上開孔２２と前記滑動部１１上の上差込口１２、または、横開孔２３と横差込口１３を互いに対合させることができる。
【０００８】
図４に示すように、使用時には、前記カバー体２を第一段階のスライド位置を選択して使用する場合、前記滑動部１１の上差込口１２と、前記カバー体２上表面の上開孔２２が対合し、プラグＢを上表面から、座体１内部に設置された前記導電端子１５の上方向開口部１５１内に挿入することができる。このとき、前記カバー体２の横開孔２３と、前記滑動部１１の横差込口１３は遮蔽された状態となるため、別のプラグを誤って同じ共用の導電端子１５に側面方向から差込むことはできない状態となる。
【０００９】
また、第二の滑動部１１上のカバー体２を、第二段階のスライド位置を選択して使用する場合、該カバー体２の側面上に形成された横開孔２３と、前記滑動部１１の横差込口１３が対合し、別のプラグＣを前記導電端子１５の側面方向開口部１５２内に挿入して使用することができ、このとき、前記カバー体２の上開孔２２と、前記滑動部１１の上差込口１２は前述同様に遮蔽された状態となる。このように、前記カバー体２を二段階式のスライド移動で位置を変えることにより、滑動部１１上の同一組の上差込口１２と横差込口１３は、「一開一閉」の対応関係を形成するため、使用者が自由に各組滑動部１１上の上差込口１２と横差込口１３間の開閉状態を調整して使用でき、複数の体積の大きなプラグＢ及びＣを挿入したい場合においても、相隣するコンセント差込口間で差し込み方向を二表面間で選択して使用することができ、座体１の長さを長くする必要なくして、体積の大きなプラグＢとＣを同時に異なる方向から挿入することができ、空間上の無駄を省くことができる。
【００１０】
図５に本考案の実施例二を示す。前記滑動部１１上のスライド移動可能距離を長く設け、カバー体２を該滑動部１１内で三段階式のスライド移動による位置選択を可能にし、前述の二段階式（一開一閉状態）の機能選択に加え、第三の選択位置を形成し、この第三の選択位置を使用する場合、前記滑動部１１上の上差込口１２及び横差込口１３、前記カバー体２上の上開孔２２及び横開孔２３のすべてが遮蔽状態となり、普段プラグを差込んで使用しないとき、埃の侵入や、差し込みミスの発生を防ぐことができる。
【００１１】
図６に本考案の実施例三を示す。主に座体３とカバー体４を係合して成り、うち、座体３は、上方向に開口した上差込口３１と、側面方向に開口した横差込口３２を兼備した区域を若干組設け、さらに、前記上差込口３１と、横差込口３２の設置位置近くにそれぞれスライド溝３３を設け、前記座体３内部には、前記上差込口３１と横差込口３２各組に相対する位置に、共用の導電端子１５（図未表示）を設け、該導電端子は、前記上差込口３１または横差込口３２に差し込まれたプラグに導電する。
【００１２】
カバー体４は、前記座体３上の上差込口３１と横差込口３２が設けられた区域において
スライド移動し、該カバー体４の上面内側と側面内側にそれぞれ嵌合片４１を設け、該嵌合片４１を前記座体３に形成されたスライド溝３３に嵌合し、前記カバー体４の前記座体３上の上差込口３１と横差込口３２に対応する位置に、上開孔４２と横開孔４３を形成し、該上開孔４２と横開孔４３は相互にずれた状態で形成され、即ち、上開孔４２と横開孔４３の位置は、同一の垂直切断面上になく、前述同様に、プラグを異なる方向から挿入して使用することを可能にし、空間上の無駄を省くことができる。
【００１３】
図７及び図８に本考案の実施例四を示す。主に座体５とカバー体６を係合して成り、うち、座体５は、上方向に開口した上差込口５１と、側面方向に開口した横差込口５２を兼備した区域を若干組設け、さらに、前記上差込口５１の設置位置近くに、それぞれスライド溝５３を設け、また、前記横差込口５２の設置位置近くの内側に、スライド孔５４を設け、前記座体５内部には、前記上差込口５１と横差込口５２各組に相対する位置に、共用の導電端子５５を設置し、該導電端子５５は、前記上差込口５１または横差込口５２に差し込まれたプラグに導電する。
【００１４】
前記カバー体６は、前記座体５の内側に設置され、前記座体５上の上差込口５１と横差込口５２が設けられた区域に嵌合されスライド移動し、該カバー体６の上表面の前記スライド溝５３に対応する位置に、スライド突起６１を設け、該スライド突起６１は、前記座体５のスライド溝５３の外側から埋め込み、前記カバー体６上に固定してもよく、該スライド突起６１により前記カバー体６を前記座体５の内側に固定し、緩むことなくスライド移動させ、また、前記カバー体６側面上に突起部６２を形成し、該突起部６２は、前記座体５に形成されたスライド孔５４内でスライド移動し、さらに、前記カバー体６の前記座体５上の上差込口５１と横差込口５２に対応する位置に、上開孔６３と横開孔６４を相互にずれた状態で形成し、即ち、上開孔６３と横開孔６４が、同一の垂直切断面上に位置しないように設置し、これにより、前述同様にプラグを異なる方向から挿入して使用することを可能にし、空間上の無駄を省くことができる。
【００１５】
【考案の効果】
本考案によれば、カバー体を移動させるだけで、上表面または側面上の差込口を選択し、プラグを挿入して使用することができ、体積の大きいプラグを挿入しても、別方向から相隣する差込口にプラグを挿入することで、相隣する差込口を占用してしまうことなく、正常に使用することを可能にする。また、コンセント本体の全体を長くする必要なくして、同時に複数の体積の大きなプラグを挿入することができる。さらに、上表面の上差込口と、側面上の横差込口間には、うち一つを開放して使用する場合、もう一方の差込口は自動的に遮蔽された状態となり、同一の導電端子に別のプラグを差込んでしまう危険を防止することができる。加えて、必要時には、上差込口と横差込口のすべてを同時に遮蔽することもでき、埃の侵入を防ぐ効果が得られる。
【図面の簡単な説明】
【図１】本考案の実施例一の構造を示す立体分解斜視図。
【図２】本考案の共用導電端子の実施例を示す立体透視図。
【図３】本考案の実施例一の構造を示す側面透視図。
【図４】本考案の使用時の状態を示す立体斜視図。
【図５】本考案の実施例二の構造を示す立体斜視図。
【図６】本考案の実施例三の構造を示す立体分解斜視図。
【図７】本考案の実施例四の構造を示す立体斜視図。
【図８】本考案の実施例四の構造を示す側面透視図。
【図９】従来の多穴コンセントの使用状態を示す立体斜視図。
【符号の説明】
１　　　　座体
１１　　　滑動部
１２　　　上差込口
１３　　　横差込口
１４　　　スライド溝
１５　　　導電端子
１５１　　上方向開口部
１５２　　側面方向開口部
２　　　　カバー体
２２　　　上開孔
２３　　　横開孔
３　　　　座体
３１　　　上差込口
３２　　　横差込口
３３　　　スライド溝
４　　　　カバー体
４１　　　嵌合片
４２　　　上開孔
４３　　　横開孔
５　　　　座体
５１　　　上差込口
５２　　　横差込口
５３　　　スライド溝
５４　　　スライド孔
５５　　　導電端子
６　　　　カバー体
６１　　　スライド突起
６２　　　突起部
６３　　　上開孔
６４　　　横開孔
Ａ１　　　座体
Ａ２　　　差込口
Ｂ　　　　プラグ
Ｃ　　　　プラグ
【図１】
0003099064.tif 000003
【図２】
0003099064.tif 000004
【図３】
0003099064.tif 000005
【図４】
0003099064.tif 000006
【図５】
0003099064.tif 000007
【図６】
0003099064.tif 000008
【図７】
0003099064.tif 000009
【図８】
0003099064.tif 000010
【図９】
0003099064.tif 000011